(57)【要約】【課題】回線端子の極性を検出するための専用回路を不要にし、かつ電話機としての誤動作を防止可能とすること。【解決手段】電源投入時に電話回線に接続するためのトランジスタＴ１およびＴ２をオン状態としておき、電話回線からのダイヤルトーン信号を検出すると当該電話回線が接続されたことをＣＰＵ２により認識するようにした。【選択図】      図１
2004336590.tif 000002
【特許請求の範囲】
【請求項１】
電話回線に対して電話機の接続状態を検出する接続状態検出装置であって、
前記電話機を前記電話回線へ接続するための接続回路を、当該電話機への電源投入時においてオン状態とする接続制御手段と、
前記電話回線からの接続信号を検出したとき、前記電話機が当該電話回線に接続されたと認識する接続認識手段と、
を備えたことを特徴とする接続状態検出装置。
【請求項２】
請求項１に記載の接続状態検出装置において、
前記接続信号は、前記電話回線を介して入力されるダイヤルトーン信号であることを特徴とする接続状態検出装置。
【請求項３】
請求項１に記載の接続状態検出装置において、
前記接続信号は、前記電話回線を介して入力される音声信号であることを特徴とする接続状態検出装置。
【請求項４】
請求項１乃至３のいずれか一項に記載の接続状態検出装置において、
前記接続制御手段は、前記接続回路を間欠的にオン状態とすることを特徴とする接続状態検出装置。
【請求項５】
請求項１乃至４のいずれか一項に記載の接続状態検出装置と、
前記電話機の機能を展示するためのデモンストレーション処理を実行するデモンストレーション手段であって、前記接続認識手段により前記電話回線への接続が認識された後に前記デモンストレーション処理の実行を停止するデモンストレーション手段と、
を備えることを特徴とする電話機。
【請求項６】
請求項１乃至４のいずれか一項に記載の接続状態検出装置と、
接続されている前記電話回線の種類を選択するための選択手段であって、前記接続認識手段により前記電話回線への接続が認識された後に前記種類を選択する処理を開始する選択手段と、
を備えることを特徴とする電話機。
【請求項７】
電話機に備えられたコンピュータを、
前記電話機を電話回線に接続するための接続回路を、当該電話機への電源投入時においてオン状態とする接続制御手段、および、
前記電話回線からの接続信号を検出したとき、前記電話機が当該電話回線に接続されたと認識する接続認識手段、
として機能させることを特徴とする電話機用プログラム。
【請求項８】
請求項７に記載の電話機用プログラムが前記コンピュータで読取可能に記録されていることを特徴とする情報記録媒体。
【発明の詳細な説明】
【０００１】
【発明の属する技術分野】
本発明は、販売促進用のデモンストレーション（以下、デモと略称する。）モード処理や回線選択処理を実行する機能を備えた電話機の接続状態検出装置に関する。
【０００２】
【従来の技術】
電話機には、デモ機能を有するものがあり、このデモ機能とは、電話機を使用しない際に液晶表示部に静止画像や動画画像を表示させたり、あるいはＬＥＤを点滅させたり点灯させてその電話機が有する機能などを展示する機能である。
【０００３】
このようなデモ機能を作動させて電話機を店頭に並べることにより、お客の関心を電話機に向けることができるため、上記デモ機能は販売促進のために必要不可欠な機能である。
【０００４】
ところで、従来ではＡＣＲ（自動回線接続機能）、ＬＣＲ（最低料金回線自動選択）やナンバーディスプレイに対応する電話機では、極性検出回路により回線端子の極性を検出している。すなわち、従来では特許文献１および特許文献２に開示されているように上記デモモードを停止する場合や、回線の選択を開始する上で、電話回線の接続を検出するには、回線端子に極性検出回路を接続し、この極性検出回路によって電話回線の接続を監視していた。
【特許文献１】
特開平８−２４２２７７号公報
【特許文献２】
特開２００２−９９２３
【０００５】
【発明が解決しようとする課題】
ところで、上述した従来の技術では、デモモードの停止や回線の選択を開始する上で、電話回線が電話機に接続されたことを検出し、これらの停止または開始を設定していたので、電話回線が接続されたことを検出するに際し、回線端子の極性を検出する専用の極性検出回路が別途必要であった。
【０００６】
また、いわゆるマンション等の集合住宅においては、当該集合住宅内に配線されている電話回線が、ＡＣＲ（自動回線接続機能）、ＬＣＲ（最低料金回線自動選択）やナンバーディスプレイ機能用に予め設定された極性になっていない場合がある。そのため、当該極性に対応した従来の極性検出回路によって回線端子の極性を検出すると、極性検出回路自体が正確な動作をしないことがあった。
【０００７】
本発明は、上記事情を考慮してなされたもので、その目的の一例としては、回線端子の極性を検出するための専用回路を不要にし、かつ電話機としての誤動作を防止可能な電話機の接続状態検出装置を提供することを目的とする。
【０００８】
【課題を解決するための手段】
上記課題を解決するため、請求項１に記載の発明は、電話回線に対して電話機の接続状態を検出する接続状態検出装置であって、前記電話機を前記電話回線へ接続するための接続回路を、当該電話機への電源投入時においてオン状態とする接続制御手段と、前記電話回線からの接続信号を検出したとき、前記電話機が当該電話回線に接続されたと認識する接続認識手段と、を備えたことを特徴とする。
【０００９】
また、請求項５に記載の発明は、請求項１乃至４のいずれか一項に記載の接続状態検出装置と、前記電話機の機能を展示するためのデモンストレーション処理を実行するデモンストレーション手段であって、前記接続認識手段により前記電話回線への接続が認識された後に前記デモンストレーション処理の実行を停止するデモンストレーション手段と、を備えることを特徴とする。
【００１０】
さらに、請求項６に記載の発明は、請求項１乃至４のいずれか一項に記載の接続状態検出装置と、接続されている前記電話回線の種類を選択するための選択手段であって、前記接続認識手段により前記電話回線への接続が認識された後に前記種類を選択する処理を開始する選択手段と、を備えることを特徴とする。
【００１１】
さらにまた、請求項７に記載の発明は、電話機に備えられたコンピュータを、前記電話機を電話回線に接続するための接続回路を、当該電話機への電源投入時においてオン状態とする接続制御手段、および、前記電話回線からの接続信号を検出したとき、前記電話機が当該電話回線に接続されたと認識する接続認識手段、として機能させることを特徴とする。
【００１２】
また、請求項８に記載の発明は、請求項７に記載の電話機用プログラムが前記コンピュータで読取可能に記録されていることを特徴とする。
【００１３】
【発明の実施の形態】
以下、本願の実施形態について、図面を参照しながら説明する。
【００１４】
図１は一実施形態の電話機の構成を示すブロック図、図２は図１の電話機における制御系の処理を示すフローチャートである。
【００１５】
図１において、電話機１は、接続制御手段、デモンストレーション手段および接続認識手段としてのＣＰＵ２を有し、このＣＰＵ２は、内部に格納された制御プログラムに基づいて各回路の制御、並びにデータの入出力を実行する。
【００１６】
ダイオードブリッジ３は、回線端子Ｌ１，Ｌ２と接続され、これらの回線端子Ｌ１，Ｌ２の極性が反転しても電話機１内の回路の電位状態を一定に保持可能にしている。
【００１７】
接続回路としての回線閉結回路４は、ダイオードブリッジ３と接続され、トランジスタＴ１，Ｔ２から構成され、電源投入時にトランジスタＴ１のベースに電圧が印加されることにより当該トランジスタＴ１およびＴ２がオン状態となる。すなわち、ＣＰＵ２によりトランジスタＴ１のベースに電圧が印加されるか否かによって当該トランジスタＴ１およびＴ２がオン状態（または間欠的なオン状態）とされる動作、およびそれらがオフ状態とされる動作が制御される。なお、このとき、トランジスタＴ２はダイオードブリッジ３から出力された音声信号を増幅する機能を有する。
【００１８】
ＬＥＤ部５は、複数のＬＥＤからなり、デモ機能時には後述するＣＰＵ２の制御によりＬＥＤの点滅動作や点灯動作を行う。また、入力部６は、デモ機能を開始するためのキーや、テンキーなどを有している。
【００１９】
デモ情報記憶部７は、例えばＲＯＭからなり、後述する表示部９に表示するデモ機能用の画像情報を格納している。
【００２０】
選択手段としての回線選択部８は、使用する電話回線によりダイヤル式（ＤＰ）とプッシュ式（ＰＢ）のいずれかを選択するとともに、ダイヤル式の場合において電話機１に接続される構内交換機の入力可能なダイヤル速度（単位はＰＰＳ（Ｐｕｌｓｅ  Ｐｅｒ  Ｓｅｃｏｎｄ））に基づいて１０ＰＰＳか２０ＰＰＳを選択する。
【００２１】
表示部９は、デモ機能時にはデモ情報記憶部７に格納されている画像情報を表示し、発呼時や待機状態時には相手先の電話番号や氏名などを表示可能に構成されている。
【００２２】
スピーチ部１０は、回線閉結回路４と接続され、この回線閉結回路４を介して電話回線Ｌから入力した音声信号をスピーカ１１へ出力する一方、マイク１２から入力した音声信号を回線閉結回路４を介して電話回線Ｌへ送出する。また、スピーチ部１０は、電話回線が接続された際に電話回線の接続信号としての音声信号または４００Ｈｚのダイヤルトーン信号をＣＰＵ２に送出する。
【００２３】
電源回路１３は、交流と直流の変換を行うＡＣ／ＤＣ変換部１４と接続されており、このＡＣ／ＤＣ変換部１４からの電圧を電話機１内で使用する電圧に変換し、電源ライン１５を介してＣＰＵ２の他、電話機１内の各回路に電力を供給する。
【００２４】
次に、本実施形態において回線が接続されたことを検出するためのフローチャートを図２に従って説明する。
【００２５】
まず、ステップＳ１では、電源が投入されるまで待機状態となる。すなわち、電源が投入される（ステップＳ１；ＹＥＳ）ということは、電源回路１３によりＡＣ／ＤＣ変換部１４からの電圧を電話機１内で使用する電圧に変換し、電源ライン１５を介してＣＰＵ２に供給された場合である。
【００２６】
ステップＳ２では、電源投入時に回線閉結回路４のトランジスタＴ１のベースに電圧を印加することにより、トランジスタＴ１およびＴ２がオン状態とされる。
【００２７】
ステップＳ３では、販売促進のために表示部９に静止画像や動画画像を表示させたり、あるいはＬＥＤを点滅させたり点灯させてその電話機が有する機能などを展示する、デモモード処理を開始する。
【００２８】
ステップＳ４では、スピーチ部１０から送出される電話回線の接続信号としての４００Ｈｚのダイヤルトーン信号を検出するまで上記デモモード処理を継続する。すなわち、ステップＳ４の判定においてダイヤルトーン信号が検出されたとき（ステップＳ４；ＹＥＳ）は、電話回線が接続されたことを認識することが可能となる。
【００２９】
そして、ステップＳ５では、デモモード処理を停止する。
【００３０】
このデモモード処理停止後、次に、ステップＳ６では、回線選択部８によりダイヤル式（ＤＰ）とプッシュ式（ＰＢ）のいずれかを選択するとともに、電話機１に接続される構内交換機の入力可能なダイヤル速度ＰＰＳにおいて１０ＰＰＳか２０ＰＰＳを選択する。
【００３１】
以上説明したように、本実施形態によれば、電源投入時にトランジスタＴ１およびＴ２をオン状態としておき、ダイヤルトーンや音声信号を検出すると電話回線が接続されたことを認識するようにしたので、回線端子Ｌ１，Ｌ２の極性を検出するための専用回路を不要にすることができ、回路構成を簡素化することができるるとともに、電話機としての誤動作を未然に防止することができる。
【００３２】
なお、本実施形態では、電話回線に接続される電話機に適用した例について説明したが、これに限らず携帯電話機やコードレス電話器の子機にも適用可能である。
【００３３】
また、本実施形態では、電話回線の接続信号としてスピーチ部１０から送出される４００Ｈｚのダイヤルトーン信号を検出するようにしたが、これに限らずスピーチ部１０から送出される音声信号を検出するようにしてもよい。
【００３４】
さらに、本実施形態では、電源投入時に回線閉結回路４のトランジスタＴ１のベースに電圧を印加することにより、当該トランジスタＴ１およびＴ２を継続的にオン状態としたが、これに限らず間欠的にオン状態としてもよい。
【００３５】
そして、本実施形態では、図２に示すフローチャートに対応するプログラムを、フレキシブルディスクまたはハードディスク等の情報記録媒体に記録させておき、あるいは当該プログラムをインターネットなどのネットワークを介して取得した後に記録しておき、これらを汎用のマイクロコンピュータなどにより読み出して実行することにより、当該マイクロコンピュータを実施形態に係るＣＰＵ２として機能させることが可能である。
【図面の簡単な説明】
【図１】一実施形態の電話機の構成を示すブロック図である。
【図２】図１の電話機における制御系の処理を示すフローチャートである。
【符号の説明】
１  電話機
２  ＣＰＵ
３  ダイオードブリッジ
４  回線閉結回路
５  ＬＥＤ部
６  入力部
７  デモ情報記憶部
８  回線選択部
９  表示部
１０  スピーチ部
１１  スピーカ
１２  マイク
１３  電源回路
１４  ＡＣ／ＤＣ変換部
１５  電源ライン
【図１】
2004336590.tif 000003
【図２】
2004336590.tif 000004